(57)【特許請求の範囲】
【請求項１】
印刷データを形成し送信する装置に接続され、当該装置から受信した印刷データに基づいて印刷を行う印刷装置であって、
計時手段の前記印刷装置内における実装の有無を検出する検出手段と、
前記検出手段により計時手段の実装有りと検出された場合には当該計時手段から出力される時間情報を、また実装無しと検出された場合には印刷データと共に受信される時間情報を獲得する時間情報獲得手段と、
印刷処理に必要な制御情報を記憶する記憶手段と、
前記時間情報獲得手段により獲得した時間情報を前記制御情報として前記記憶手段に記憶させる制御情報処理手段と、
を備えたことを特徴とする印刷装置。
【請求項２】
前記制御情報は前記印刷データを管理するログ情報であり、前記時間情報は当該ログ情報内において前記印刷データの送信時間情報として用いられることを特徴とする請求項１記載の印刷装置。
【請求項３】
前記制御情報は前記印刷データを管理するログ情報であり、前記時間情報は当該ログ情報内において前記印刷データの送信時間に基づく印刷開始時間の情報として用いられることを特徴とする請求項１記載の印刷装置。
【請求項４】
前記制御情報は前記印刷データを管理するログ情報であり、前記時間情報は当該ログ情報内においてエラー発生時刻情報として用いられることを特徴とする請求項１記載の印刷装置。
【請求項５】
印刷データを形成し送信する装置に接続され、当該装置から受信した印刷データに基づいて印刷を行う印刷装置の制御方法であって、
計時手段の前記印刷装置内における実装の有無を検出する工程と、
計時手段の実装有りと検出された場合には当該計時手段から出力される時間情報を、また実装無しと検出された場合には印刷データと共に受信される時間情報を獲得する工程と、
前記獲得した時間情報を、印刷処理に必要な制御情報を記憶する記憶手段に当該制御情報として記憶させる工程と、
を備えたことを特徴とする印刷装置の制御方法。
【請求項６】
前記時間情報を記憶させる工程は、前記印刷データを管理するログ情報内に前記時間情報を前記印刷データの送信時間情報として記憶させる工程であることを特徴とする請求項５記載の印刷装置の制御方法。
【請求項７】
前記時間情報を記憶させる工程は、前記印刷データを管理するログ情報内に前記時間情報を前記印刷データの送信時間に基づく印刷開始時間の情報として記憶させる工程であることを特徴とする請求項５記載の印刷装置の制御方法。
【請求項８】
前記時間情報を記憶させる工程は、前記印刷データを管理するログ情報内に前記時間情報をエラー発生時刻情報として記憶させる工程であることを特徴とする請求項６記載の印刷装置の制御方法。
【発明の詳細な説明】
【０００１】
【発明の属する技術分野】
本発明は、印刷データを管理するログ情報等の制御情報を構成する情報の一つとして時間情報を用いる印刷装置及び印刷装置の制御方法の技術分野に属するものである。
【０００２】
【従来の技術】
従来のプリンタ等の印刷装置の中には、時計用のＩＣを内蔵したものがある。このようなプリンタにおいては、時間用のＩＣから読み取った時間情報に基づいて、文書を受信した時刻、あるいはエラーが発生時刻をログ情報の一部として記憶させ、印刷処理の管理あるいはエラー処理の管理に用いていた。
【０００３】
例えば、複数の文書をスプールし、当該ログ情報に基づいて、受信時刻の早いものから印刷を行ったり、あるいは指定された時刻にスプールされている文書の消去を行っていた。
【０００４】
また、ログ情報にエラー発生時刻を記録することにより、複数存在する文書のうちの何れの文書の処理中にエラーが発生したのかを判別し、エラー発生原因のを調査作業の容易化を図る処理を行っていた。
【０００５】
【発明が解決しようとする課題】
しかしながら、前記時間用のＩＣは高価であるため、ユーザーにはオプション提供されている。従って、プリンタ自体には、上述のようなログ機能を備えているにも拘わらず、ユーザーが前記時間用のＩＣを実装していないため、前記ログ機能を用いることが出来ないという問題があった。
【０００６】
その結果、効率の良い印刷処理あるいは効率の良いエラー処理を行うことが出来ず、プリンタの持つ優れた機能を発揮できない場合があった。
【０００７】
本発明は、以上のような問題を解決し、時計用のＩＣを実装していない場合でも、ログ機能を使用することが出来る印刷装置及び印刷装置の制御方法を提供することを課題としている。
【０００８】
【課題を解決するための手段】
請求項１記載の印刷装置は、前記課題を解決するために、印刷データを形成し送信する装置に接続され、当該装置から受信した印刷データに基づいて印刷を行う印刷装置であって、計時手段の前記印刷装置内における実装の有無を検出する検出手段と、前記検出手段により計時手段の実装有りと検出された場合には当該計時手段から出力される時間情報を、また実装無しと検出された場合には印刷データと共に受信される時間情報を獲得する時間情報獲得手段と、印刷処理に必要な制御情報を記憶する記憶手段と、前記時間情報獲得手段により獲得した時間情報を前記制御情報として前記記憶手段に記憶させる制御情報処理手段とを備えたことを特徴とする。
【０００９】
請求項１記載の印刷装置によれば、検出手段により印刷装置内における計時手段の実装の有無が検出される。その結果、計時手段の実装有りと検出された場合には、時間情報獲得手段は前記計時手段から出力される時間情報を獲得する。一方、前記計時手段の実装無しと検出された場合には、時間情報獲得手段は、印刷データと共に受信される時間情報を獲得する。印刷装置は、印刷データを形成し送信する装置に接続されており、当該装置から印刷データを受信するが、この印刷データの処理に必要な制御情報は、制御情報処理手段によって記憶手段に記憶される。更に、制御情報処理手段は、前記時間情報獲得手段により獲得した時間情報についても前記制御情報として前記記憶手段に記憶させる。その結果、印刷装置における前記計時手段の実装の有無に拘わらず、前記制御情報には時間情報が含まれることになるので、前記制御情報を用いて効率の良い印刷処理等が行われることになる。
【００１０】
請求項２記載の印刷装置は、前記課題を解決するために、請求項１記載の印刷装置において、前記制御情報は前記印刷データを管理するログ情報であり、前記時間情報は当該ログ情報内において前記印刷データの送信時間情報として用いられることを特徴とする。
【００１１】
請求項２記載の印刷装置によれば、制御情報処理手段は、前記制御情報として、前記印刷データを管理するログ情報を前記記憶手段に記憶させ、且つ、前記時間情報を、当該ログ情報内における印刷データの送信時間情報として記憶させる。従って、印刷装置における前記計時手段の実装の有無に拘わらず、印刷データの時間に基づく管理が行われることになる。
【００１２】
請求項３記載の印刷装置は、前記課題を解決するために、請求項１記載の印刷装置において、前記制御情報は前記印刷データを管理するログ情報であり、前記時間情報は当該ログ情報内において前記印刷データの送信時間に基づく印刷開始時間の情報として用いられることを特徴とする。
【００１３】
請求項３記載の印刷装置によれば、制御情報処理手段は、前記制御情報として、前記印刷データを管理するログ情報を前記記憶手段に記憶させ、且つ、前記時間情報は、当該ログ情報内における前記印刷データの送信時間に基づく印刷開始時間の情報として記憶させる。従って、印刷装置における前記計時手段の実装の有無に拘わらず、前記印刷データの印刷開始時間は、前記印刷データの送信時間に基づいて制御されることになる。
【００１４】
請求項４記載の印刷装置は、前記課題を解決するために、請求項１記載の印刷装置において、前記制御情報は前記印刷データを管理するログ情報であり、前記時間情報は当該ログ情報内においてエラー発生時刻情報として用いられることを特徴とする。
【００１５】
請求項４記載の印刷装置によれば、制御情報処理手段は、前記制御情報として、前記印刷データを管理するログ情報を前記記憶手段に記憶させ、且つ、前記時間情報は、当該ログ情報内におけるてエラー発生時刻情報として記憶させる。従って、ユーザーは、印刷装置における前記計時手段の実装の有無に拘わらず、エラーの発生時刻を正確に知ることができ、効率の良いエラー処理が行われることになる。
【００１６】
請求項５記載の印刷装置の制御方法は、前記課題を解決するために、印刷データを形成し送信する装置に接続され、当該装置から受信した印刷データに基づいて印刷を行う印刷装置の制御方法であって、計時手段の前記印刷装置内における実装の有無を検出する工程と、計時手段の実装有りと検出された場合には当該計時手段から出力される時間情報を、また実装無しと検出された場合には印刷データと共に受信される時間情報を獲得する工程と、前記獲得した時間情報を、印刷処理に必要な制御情報を記憶する記憶手段に当該制御情報として記憶させる工程とを備えたことを特徴とする。
【００１７】
請求項５記載の印刷装置の制御方法によれば、印刷装置内において、計時手段の実装有りと検出された場合には、前記計時手段から出力される時間情報が獲得される。一方、前記計時手段の実装無しと検出された場合には、印刷データと共に受信される時間情報が獲得される。印刷装置は、印刷データを形成し送信する装置に接続されており、当該装置から印刷データを受信するが、この印刷データの処理に必要な制御情報は記憶手段に記憶され、前記獲得した時間情報についても前記制御情報として前記記憶手段に記憶される。その結果、印刷装置における前記計時手段の実装の有無に拘わらず、前記制御情報には時間情報が含まれることになるので、前記制御情報を用いて効率の良い印刷処理等が行われることになる。
【００１８】
請求項６記載の印刷装置の制御方法は、前記課題を解決するために、請求項５記載の印刷装置の制御方法において、前記時間情報を記憶させる工程は、前記印刷データを管理するログ情報内に前記時間情報を前記印刷データの送信時間情報として記憶させる工程であることを特徴とする。
【００１９】
請求項６記載の印刷装置の制御方法によれば、前記制御情報として前記印刷データを管理するログ情報が前記記憶手段に記憶され、且つ、前記時間情報は、当該ログ情報内における印刷データの送信時間情報として記憶される。従って、印刷装置における前記計時手段の実装の有無に拘わらず、印刷データの時間に基づく管理が行われることになる。
【００２０】
請求項７記載の印刷装置の制御方法は、前記課題を解決するために、請求項５記載の印刷装置の制御方法において、前記時間情報を記憶させる工程は、前記印刷データを管理するログ情報内に前記時間情報を前記印刷データの送信時間に基づく印刷開始時間の情報として記憶させる工程であることを特徴とする。
【００２１】
請求項７記載の印刷装置の制御方法によれば、前記制御情報として前記印刷データを管理するログ情報が前記記憶手段に記憶され、且つ、前記時間情報は、当該ログ情報内における前記印刷データの送信時間に基づく印刷開始時間の情報として記憶される。従って、印刷装置における前記計時手段の実装の有無に拘わらず、前記印刷データの印刷開始時間は、前記印刷データの送信時間に基づいて制御されることになる。
【００２２】
請求項８記載の印刷装置の制御方法は、前記課題を解決するために、請求項６記載の印刷装置の制御方法において、前記時間情報を記憶させる工程は、前記印刷データを管理するログ情報内に前記時間情報をエラー発生時刻情報として記憶させる工程であることを特徴とする。
【００２３】
請求項８記載の印刷装置の制御方法によれば、前記制御情報として前記印刷データを管理するログ情報が前記記憶手段に記憶され、且つ、前記時間情報は、当該ログ情報内におけるてエラー発生時刻情報として記憶される。従って、ユーザーは、印刷装置における前記計時手段の実装の有無に拘わらず、エラーの発生時刻を正確に知ることができ、効率の良いエラー処理が行われることになる。
【００２４】
【発明の実施の形態】
以下、本発明の好適な実施の形態を添付図面に基づいて説明する。以下の説明は、現像装置を含む画像形成装置に対して本発明を適用した場合の実施形態である。まず、本実施形態における画像形成装置全体の概要について説明する。
【００２５】
（画像形成装置全体の概要）
図１は、本発明を適用した印刷装置としてのレーザビームプリンタ１の概略構成を示す断面図である。図１において、レーザビームプリンタ１は、本体ケース２の底部に、図示しない用紙を給紙するフィーダユニットを備えている。フィーダユニットは、図示しないバネによって押圧される用紙押圧板１０と、給紙ローラ１１と、摩擦分離部材１４とを備え、用紙押圧板１０により用紙を給紙ローラ１１に押圧し、給紙ローラ１１の回転により給紙ローラ１１と摩擦分離部材１４との間で最上位の用紙を分離して所定のタイミングで用紙の供給を行う。
【００２６】
図１の矢印方向に回転する前記給紙ローラ１１の回転による用紙搬送方向の下流側には、１対のレジストローラ１２及び１３が回転可能に枢支され、後述する感光ドラム２０と転写ローラ２１によって形成される転写位置へ所定のタイミングで用紙を搬送する。
【００２７】
感光ドラム２０は、正帯電性の材料、例えば、正帯電性のポリカーボネイトを主成分とする有機感光体からなる。具体的には、感光ドラム２０は、例えば、円筒状でアルミニウム製の円筒スリーブを本体として、その外周部に、ポリカーボネートに光導電性樹脂を分散させた所定厚さ（例えば、約２０μｍ）の光導電層を形成した中空状のドラムから構成され、円筒スリーブを接地した状態で、本体ケース２に回転自在に枢支される。更に、感光ドラム２０は、図示しない駆動手段により矢印方向に回転駆動される。
【００２８】
帯電器３０は、例えば、タングステンなどからなる帯電用ワイヤからコロナ放電を発生させる正帯電用のスコロトロン型の帯電器から構成される。
【００２９】
レーザスキャナユニット４０は、感光ドラム２０上に静電潜像を形成する為のレーザ光Ｌを発生するレーザ発生器（図示せず）、回転駆動されるポリゴンミラー（５面体ミラー）４１、一対のレンズ４２及び４５、並びに反射ミラー４３，４４及び４６を含んで構成されている。
【００３０】
現像器カートリッジ５０は、ケース５１内に現像剤収容室としてのトナー収容室５２が形成され、トナー収容室５２内には、現像剤搬送手段としてのアジテータ５３と、清掃部材５４と、これらの間に設けられた遮光部材８０が回転軸５５の周りに回転自在に設けられている。なお、このトナー収容室５２内には、電気絶縁性を有する正帯電性の非磁性１成分現像剤としてのトナーが収容される。また、トナー収容室５２の前記回転軸５５の両端側に位置する側壁には光透過窓５６が設けられている。また、トナー収容室５２の感光ドラム２０側には、開口部Ａによってトナー収容室５２と連通し現像を行う現像室５７が形成され、供給ローラ５８と現像ローラ５９が回転可能に枢支される。現像ローラ５９上のトナーは、薄い板状の弾性を有する層厚規制ブレード６４により所定の層厚に規制され、現像に供される。
【００３１】
転写ローラ２１は、回転自在に枢支され、シリコーンゴムやウレタンゴムなどからなる導電性を有する発泡弾性体から構成される。転写ローラ２１は、印加される電圧により、感光ドラム２０上のトナー画像を用紙に確実に転写するように構成されている。
【００３２】
定着ユニット７０は、レジストローラ１２及び１３から感光ドラム２０と転写ローラ２１との圧接部に至る用紙の搬送方向の更に下流側に設けられ、加熱用ローラ７１と押圧ローラ７２を備える。用紙に転写されたトナー画像は加熱用ローラ７１と押圧ローラ７２とによって搬送される間に加熱されつつ押圧されて用紙に定着される。
【００３３】
用紙搬送用の１対の搬送ローラ７３及び排紙ローラ７４は、定着ユニット７０の搬送方向下流側に夫々設けられており、排紙ローラ７４の下流側には排紙トレイ７５が設けられている。
【００３４】
なお、上述した感光ドラム２０、転写ローラ２１、帯電器３０、及び現像器カートリッジ５０は、プロセスカートリッジ２ａ内に収容されており、該プロセスカートリッジ２ａはレーザビームプリンタ１に対して着脱自在に設けられている。更に、現像器カートリッジ５０は、プロセスカートリッジ２ａに対して着脱自在に設けられている。
【００３５】
以上のような本実施形態のレーザビームプリンタ１において、感光ドラム２０の表面が帯電器３０により一様に帯電され、レーザスキャナユニット４０から画像情報に従って変調されたレーザ光Ｌが照射されると、感光ドラム２０の表面には静電潜像が形成される。この静電潜像は、現像器カートリッジ５０によってトナーで可視像化され、感光ドラム２０上に形成された可視像は感光ドラム２０によって転写位置へと搬送される。転写位置においては、給紙ローラ１１及びレジストローラ１２及び１３を介して用紙が供給され、前記可視像は転写ローラ２１によって印加される転写バイアスにより、用紙に転写される。なお、転写後に感光ドラム２０上に残ったトナーは、現像ローラ５９によって現像室５７に回収される。
【００３６】
次に、用紙は定着ユニット７０に搬送され、定着ユニット７０の加熱用ローラ７１と押圧ローラ７２によって挟持搬送され、用紙上の可視像は加圧及び加熱され、用紙上に定着される。そして、用紙は一対の搬送ローラ７３及び排紙ローラ７４によりレーザビームプリンタ１上部の排紙トレイ７５に排出され、画像形成動作が終了する。
【００３７】
（制御部の構成）
次に、前記レーザビームプリンタ１における制御部９０の構成を図２に基づいて説明する。
【００３８】
制御部９０は、検出手段、時間情報獲得手段、及び制御情報処理手段としてのＣＰＵ９１と、ＲＯＭ９２と、記憶手段としてのＲＡＭ９３と、バス９４と、出力インターフェース（出力Ｉ／Ｆ）９５と、入力インターフェース（入力Ｉ／Ｆ）９６と、印字部９７と、計時手段としての時計用ＩＣ９８と、パネル部９９とを備えている。
【００３９】
ＲＯＭ９２には、以下に説明する本発明のログ情報処理を含む制御プログラムが予め記憶されている。
【００４０】
また、本実施形態のレーザビームプリンタ１においては、制御部９０に以上のような入力Ｉ／Ｆ９６を備えているため、印刷制御装置としての図示しないホストコンピュータと、電話回線またはＬＡＮ等のネットワーク、あるいはパラレルインターフェースもしくはシリアルインターフェースによって接続が可能であり、ホストコンピュータと一対一の関係での使用の他、多数のホストコンピュータと多対一の関係での使用が可能になっている。
【００４１】
（ジョブデータの構成）
次に、前記ホストコンピュータから送信されるジョブデータの構造について説明する。
【００４２】
ホストコンピュータにおいては、ワードプロセッサソフトウェア等のアプリケーションを起動させ、当該アプリケーション上で所定の文書作成作業を行った後、
当該アプリケーション上で印刷メニューを選択する。これにより、ホストコンピュータの画面には、印刷条件を設定したり、あるいは印刷の開始等を指示するための印刷用のダイアログが表示される。ユーザーは必要に応じてこの印刷用のダイアログを用いて必要な印刷条件を設定し、設定終了後に印刷の開始を指示する。これにより、ホストコンピュータからは、図３に示すような構造のジョブデータが送信され、このジョブデータは前記制御部９０のＣＰＵ９１において受信され、ＲＡＭ９３に記憶される。
【００４３】
図３に示すように、ジョブデータ１００は、ドキュメント名情報１０１、送信者名情報１０２、及び送信日時情報１０３等からなる制御情報１０４と、印刷データ１０５とから構成されている。
【００４４】
ドキュメント名情報１０１は、前記アプリケーション上でユーザーが設定したドキュメント名に基づいて作成される。また、送信者名情報１０２は、ウィンドウズ等のＯＳ上で設定された送信者名がそのまま用いられる。更に、送信日時情報は、ホストコンピュータに内蔵されている時計用ＩＣから読み取った時間情報に基づいて作成される。そして、印刷データは、前記アプリケーション上でユーザーが作成したデータに基づいて作成される。
【００４５】
（ログ情報の処理）
次に、本実施形態における印刷ログ情報の処理について説明する。
【００４６】
まず、制御部９０のＣＰＵ９１は、ホストコンピュータからジョブデータ１００を受信すると（ステップＳ１）、そのジョブデータ１００をＲＡＭ９３に格納する。
【００４７】
そして、格納したジョブデータ１００のうち、制御情報１０４を読み取り、ＲＡＭ９３別の領域に格納する（ステップＳ２）。
【００４８】
次に、制御部９０に、時計用ＩＣ９８が実装されているか否かを判別する（ステップＳ３）。例えば、実際にＣＰＵ９１によって時計用ＩＣ９８のポートを読み取り特定の値が読み取れた場合に実装されていると判別するようにすれば良い。または、スイッチを設け、このスイッチの設定を読み取るようにしても良い。
【００４９】
判別の結果、時計用ＩＣ９８が実装されていると判別した場合には（ステップＳ３：ＹＥＳ）、その時計用ＩＣ９８から現在の時刻を読み取り、ＲＡＭ９３の所定の領域に受信時刻情報として格納する（ステップＳ４）。
【００５０】
そして、このようにして取得した受信時刻情報と、ドキュメント名等の他の制御情報をジョブ管理用のログ情報としてＲＡＭ９３の所定の領域に格納する（ステップＳ５）。
【００５１】
一方、前記判別の結果、時計用ＩＣ９８が実装されていないと判別した場合には（ステップＳ３：ＮＯ）、前記のように読み取った制御情報１０４に含まれる送信時刻情報を受信時刻情報として採用し、ドキュメント名等の他の制御情報と共にジョブ管理用のログ情報としてＲＡＭ９３の所定の領域に格納する（ステップＳ６）。
【００５２】
本実施形態の制御部９０は、以上のように構成されているため、時計用ＩＣ９８が実装されている場合には、正確な受信時刻情報をログ情報として記憶させることができる。その結果、例えば、受信時刻順に応じて印刷開始順序を決定する処理等を的確に行うことができる。
【００５３】
しかし、本実施形態によれば、前記時計用ＩＣ９８が実装されていない場合であっても、ジョブデータに含まれる送信日時情報を受信時刻情報として採用するので、時計用ＩＣ９８が実装されている場合と同様に、受信時刻情報をログ情報として記憶させることができる。ジョブデータの送信と制御部９０における当該ジョブデータの受信との間には、厳密には若干の時間のずれが生ずるが、実用上問題のない範囲であり、例えば、受信時間順による印刷処理等を的確に行うことができる。
【００５４】
以上のように、本実施形態によれば、時計用ＩＣの実装の有無に拘わらず、ログ情報を利用した処理を行うことができるので、ユーザーは効率の良い印刷処理を常に行うことができる。
【００５５】
なお、図４に示すステップＳ３の判別処理は、ジョブデータの受信時のみに限定されるものではなく、電源投入時等に判定するようにしても良い。この場合には、ＣＰＵ９１に内蔵されたタイマーあるいはソフトウェアによってフリーランカウンタを構成し、電源投入時等に獲得した時刻情報に基づいてその後の計時処理を行うようにすれば良い。
【００５６】
（他の実施形態）
前記実施形態においては、ジョブデータを受信した際に時刻情報を取得する例について説明したが、本発明はこのような構成に限定されるものではなく、例えば、プリンタ内における紙詰まりの発生、あるいはトナー切れ等のエラー発生時に前記時刻情報を取得するようにすれば良い。
【００５７】
このように構成することによって、時計用ＩＣの実装の有無に拘わらず、的確にエラー処理を行うことが可能となる。
【００５８】
また、ログ情報を利用した印刷処理の例としては、上述のような印刷開始処理だけでなく、印刷データの受信時間順による消去処理にも適用可能である。
【００５９】
また、前記ログ情報を用いた他の例としては、印刷処理の完了時に、印刷が完了したことを示すメッセージと共に、完了した時間を記録した電子メールをホストコンピュータ側に送信する処理が挙げられる。本発明によれば、このような処理も時計用ＩＣの実装の有無に拘わらず可能となる。
【００６０】
なお、上述した実施形態においては、本発明を画像形成装置の一例としてのレーザービームプリンタに適用した場合について説明したが、その他にもインクジェットプリンタ、ファクシミリ、コピー等の印刷装置にも適用可能である。
【００６１】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００６２】
【発明の効果】
請求項１記載の印刷装置によれば、検出手段により計時手段の実装有りと検出された場合には当該計時手段から出力される時間情報を、また実装無しと検出された場合には印刷データと共に受信される時間情報を獲得する時間情報獲得手段と、獲得した時間情報を制御情報として記憶手段に記憶させる制御情報処理手段とを備えたので、印刷装置における前記計時手段の実装の有無に拘わらず、前記制御情報を用いて効率の良い印刷処理等を行うことができる。
【００６３】
請求項２記載の印刷装置によれば、前記制御情報としての印刷データを管理するログ情報内に、前記時間情報として前記印刷データの送信時間情報を記憶させるので、印刷装置における前記計時手段の実装の有無に拘わらず、印刷データの時間に基づく管理を行うことができる。
【００６４】
請求項３記載の印刷装置によれば、前記制御情報としての印刷データを管理するログ情報内に、前記時間情報として前記印刷データの送信時間に基づく印刷開始時間の情報を記憶させるので、印刷装置における前記計時手段の実装の有無に拘わらず、前記印刷データの印刷開始時間を、前記印刷データの送信時間に基づいて制御することができる。
【００６５】
請求項４記載の印刷装置によれば、前記制御情報としての印刷データを管理するログ情報内に、前記時間情報としてエラー発生時刻情報を記憶させるので、ユーザーは、印刷装置における前記計時手段の実装の有無に拘わらず、エラーの発生時刻を正確に知ることができ、効率の良いエラー処理を行うことができる。
【００６６】
請求項５記載の印刷装置の制御方法によれば、計時手段の実装有りと検出された場合には当該計時手段から出力される時間情報を、また実装無しと検出された場合には印刷データと共に受信される時間情報を獲得し、獲得した時間情報を、印刷処理に必要な制御情報を記憶する記憶手段に当該制御情報として記憶させるので、印刷装置における前記計時手段の実装の有無に拘わらず、前記制御情報を用いて効率の良い印刷処理等を行うことができる。
【００６７】
請求項６記載の印刷装置の制御方法によれば、印刷データを管理するログ情報内に前記時間情報を前記印刷データの送信時間情報として記憶させるので、印刷装置における前記計時手段の実装の有無に拘わらず、印刷データの時間に基づく管理を行うことができる。
【００６８】
請求項７記載の印刷装置の制御方法によれば、印刷データを管理するログ情報内に前記時間情報を前記印刷データの送信時間に基づく印刷開始時間の情報として記憶させるので、印刷装置における前記計時手段の実装の有無に拘わらず、前記印刷データの印刷開始時間を、前記印刷データの送信時間に基づいて制御することができる。
【００６９】
請求項８記載の印刷装置の制御方法によれば、印刷データを管理するログ情報内に前記時間情報をエラー発生時刻情報として記憶させるので、ユーザーは、印刷装置における前記計時手段の実装の有無に拘わらず、エラーの発生時刻を正確に知ることができ、効率の良いエラー処理を行うことができる。
【図面の簡単な説明】
【図１】本発明の一実施形態における印刷装置の概略構成を示す断面図である。
【図２】図１の印刷装置における制御部の概略構成を示すブロック図である。
【図３】図２の制御部で取り扱われるジョブデータの構成を示す図である。
【図４】図２の制御部におけるログ情報処理の概略を示すフローチャートである。
【符号の説明】
１  レーザビームプリンタ
９１  ＣＰＵ
９８  時計用ＩＣ
１００  ジョブデータ
１０３  送信日時情報
１０４  制御情報
１０５  印刷データ
【図１】
0003714071.tif 000002
【図２】
0003714071.tif 000003
【図３】
0003714071.tif 000004
【図４】
0003714071.tif 000005